【手続補正書】
【提出日】平成20年1月29日(2008.1.29)
【手続補正１】
【補正対象書類名】明細書
【補正対象項目名】特許請求の範囲
【補正方法】変更
【補正の内容】
【特許請求の範囲】
【請求項１】
複数の論理ボリュームを有する複数のプライマリストレージサブシステムを含むプライマリサイトから複数の論理ボリュームを有する複数のセカンダリストレージサブシステムを含むセカンダリサイトへとデータをコピーするデータ処理システムであって、
前記複数のプライマリストレージサブシステムと接続されたプライマリ装置と、
前記複数のセカンダリストレージサブシステムと接続されたセカンダリ装置と、を備え、
前記プライマリ装置は、プライマリボリュームを含む少なくとも一つの仮想ボリュームとして前記複数のプライマリストレージサブシステムの前記複数の論理ボリュームを提供し、
前記セカンダリ装置は、セカンダリボリュームを含む少なくとも１つの仮想ボリュームとして、前記複数のセカンダリストレージサブシステムの複数の論理ボリュームを提供し、
前記プライマリ装置は、前記プライマリボリュームに書き込まれるデータをホスト計算機から受信し、前記プライマリボリュームの記憶領域を構成する前記複数のプライマリストレージサブシステムの前記複数の論理ボリュームへデータを書き込むように制御し、
前記プライマリ装置は、前記書き込まれたデータのコピーおよび時間情報を含むジャーナルデータを取得し、該ジャーナルデータを前記セカンダリ装置へと送信し、
前記セカンダリ装置は、該ジャーナルデータを受信し、該ジャーナルデータを前記複数のセカンダリストレージサブシステムのジャーナル領域に格納するよう制御し、
前記セカンダリ装置は、前記ジャーナル領域から前記ジャーナルデータに含まれるデータを前記セカンダリボリュームに格納するよう制御することを特徴とするデータ処理システム。
【請求項２】
請求項１に記載のデータをコピーするデータ処理システムにおいて、前記セカンダリ装置は、該セカンダリ装置に接続されたホスト計算機から受信したリストア要求に応答して、前記ジャーナル領域からの前記ジャーナルデータに含まれるデータを前記セカンダリボリュームに格納するよう制御することを特徴とするデータ処理システム。
【請求項３】
請求項１に記載のデータをコピーするデータ処理システムにおいて、前記セカンダリ装置は、前記セカンダリ装置に接続されたホスト計算機から指定された時刻および前記ジャーナルデータに含まれる前記時間情報から特定される前記ジャーナルデータに含まれるデータを前記セカンダリボリュームに格納するよう制御し、前記ホスト計算機から指定された時刻時点における前記プライマリボリュームのデータイメージをリストアすることを特徴とするデータ処理システム。
【請求項４】
請求項３に記載のデータをコピーするデータ処理システムにおいて、前記セカンダリ装置は、前記ホスト計算機から指定された時間よりも早い時間を示す時間情報が含まれるジャーナルデータに含まれるデータをセカンダリボリュームに格納するよう制御し、前記ホスト計算機から指定された時点の前記プライマリボリュームのデータイメージをリストアすることを特徴とするデータ処理システム。
【請求項５】
請求項１に記載のデータをコピーするデータ処理システムにおいて、前記プライマリサイト内のイベントを知らせるマーカが前記プライマリ装置から前記セカンダリ装置へジャーナルデータとして送信されることを特徴とするデータ処理システム。
【請求項６】
請求項５に記載のデータをコピーするデータ処理システムにおいて、前記セカンダリ装置がマーカを受信すると、前記セカンダリ装置は該マーカの内容を、前記セカンダリ装置に接続されたホスト計算機に通知することを特徴とするデータ処理システム。
【請求項７】
複数の論理ボリュームを有する複数のプライマリストレージサブシステムを含むプライマリサイトから複数の論理ボリュームを有する複数のセカンダリストレージサブシステムを含むセカンダリサイトへとデータをコピーするデータ処理方法であって、
前記複数のプライマリストレージサブシステムと接続されたプライマリ装置により、プライマリボリュームを含む少なくとも一つの仮想ボリュームとして前記複数のプライマリストレージサブシステムの前記複数の論理ボリュームを提供する工程と、
前記複数のセカンダリストレージサブシステムと接続されたセカンダリ装置により、セカンダリボリュームを含む少なくとも１つの仮想ボリュームとして、前記複数のセカンダリストレージサブシステムの前記複数の論理ボリュームを提供する工程と、
前記プライマリ装置により、前記プライマリボリュームに書き込まれるデータをホスト計算機から受信する工程と、
前記プライマリ装置により、前記プライマリボリュームの記憶領域を構成する前記複数のプライマリストレージサブシステムの前記複数の論理ボリュームに前記データを書き込むように制御する工程と、
前記プライマリ装置により、前記書き込まれたデータのコピーおよび時間情報を含むジャーナルデータを取得する工程と、
前記プライマリ装置により、前記ジャーナルデータを前記セカンダリ装置へと送信する工程と、
前記セカンダリ装置により、前記ジャーナルデータを受信する工程と、
前記セカンダリ装置により、該ジャーナルデータを前記複数のセカンダリストレージサブシステムのジャーナル領域に格納するよう制御する工程と、
前記セカンダリ装置により、前記ジャーナル領域からの前記ジャーナルデータに含まれるデータを前記セカンダリボリュームに格納するよう制御する工程と、を備えるデータ処理方法。
【請求項８】
請求項７に記載のデータをコピーするデータ処理方法において、さらに、前記セカンダリ装置によって、該セカンダリ装置に接続されるホスト計算機からのリストア要求を受信する工程を備え、
前記セカンダリ装置は、前記リストア要求に応答して、前記ジャーナル領域からの前記ジャーナルデータに含まれるデータを前記セカンダリボリュームに格納するよう制御することを特徴とするデータ処理方法。
【請求項９】
請求項７に記載のデータをコピーするデータ処理方法において、前記セカンダリ装置は、前記セカンダリ装置に接続されたホスト計算機から指定される時刻および前記ジャーナルデータに含まれる前記時間情報から特定される前記ジャーナルデータに含まれるデータを前記セカンダリボリュームに格納するよう制御し、前記ホスト計算機から指定された時点における前記プライマリボリュームのデータイメージをリストアすることを特徴とするデータ処理方法。
【請求項１０】
請求項９に記載のデータをコピーするデータ処理方法において、前記セカンダリ装置は、前記ホスト計算機から指定された時間よりも早い時間を示す時間情報が含まれる、前記ジャーナル領域内のデータを、前記セカンダリボリュームに格納するよう制御し、前記ホスト計算機から指定された時点の前記プライマリボリュームのデータイメージをリストアすることを特徴とするデータ処理方法。
【請求項１１】
請求項７に記載のデータをコピーするデータ処理方法において、さらに、前記プライマリサイト内のイベントを知らせるマーカを前記プライマリ装置から前記セカンダリ装置へジャーナルデータとして送信する工程を備えることを特徴とするデータ処理方法。
【請求項１２】
請求項１１に記載のデータをコピーするデータ処理方法において、さらに、
前記セカンダリ装置により、前記マーカを受信する工程と、
前記セカンダリ装置により、前記マーカの内容を、前記セカンダリ装置に接続されたホスト計算機に通知する工程と、を備えることを特徴とするデータ処理方法。